(57)【特許請求の範囲】
【請求項１】
下方柱体の上端部とこの下方柱体に連続される上方柱体の下端部とに連繋されて上方柱体における垂直度の調整を可能にする建入れ調整装置であって、下端に下方柱体の上端部に分離可能に連結される下方ブラケットを有するハウジングと、このハウジングの平面視の中央において上下方向に延在される軸芯線を中心にする軸芯部に配在されて外部からの回動操作で水平回動可能とされる回動軸と、この回動軸の上端側の外周に形成の上端側螺条部に昇降可能に螺装されながら上方柱体の下端部に分離可能に連結される上方ブラケットと、この上方ブラケットに上端が係止されると共に下端が回動軸における上記の上端側螺条部の下方に係止されて上方ブラケットを上昇方向に附勢する附勢バネと、上記のハウジングに水平回動可能に保持されると共に内周螺条部が上記の回動軸の下端側の外周に形成の下端側螺条部に噛合する回動体とを有してなり、上記の下端側螺条部におけるネジピッチおよびネジ径が上記の上端側螺条部におけるネジピッチおよびネジ径よりも大きく設定されてなることを特徴とする建入れ調整装置
【発明の詳細な説明】
【０００１】
【発明の属する技術分野】
この発明は、鉄骨製の柱体を建込む際の建入れ直しに利用する建入れ調整装置の改良に関する。
【０００２】
【従来の技術】
周知のように、およそ建築物を構成する柱体は、多くの場合に、その建込みの際に建入れ直しと称される作業で垂直状態になるように調整されるが、この建入れ直しを鉄骨製の柱体に対して行う場合には、旧来、ワイヤロープとレバーブロック等のウインチ類とを利用した方策が汎用されていた。
【０００３】
しかし、この方策による場合には、いわゆるダメ工事を誘発するとか、いわゆる手間が掛るとかの不具合があることから、これに代わる種々の建入れ調整装置がこれまでに提案されている。
【０００４】
その中で、たとえば、図２に示す提案にあっては、建入れ調整装置が下方柱体Ｐ１の上端部とこの下方柱体Ｐ１に連続される上方柱体Ｐ２の下端部とに連繋されて上方柱体Ｐ２における垂直度の調整を可能にするとしている。
【０００５】
この提案について少し説明すると、まず、下方柱体Ｐ１の上端部と上方柱体Ｐ２の下端部には、それぞれ一枚の板状体からなるエレクションピースＥ１，Ｅ２が溶接などで一体に連設されていて、この各エレクションピースＥ１，Ｅ２を利用することで本装置の連繋を実現するとしている。
【０００６】
つぎに、建入れ調整装置は、ハウジングＨの下端に下方柱体Ｐ１の上端部となる下方のエレクションピースＥ１に連結ピンなどの適宜の連結具Ｃの利用などで分離可能に連結される下方ブラケットＢ１を有してなる。
【０００７】
一方、この建入れ調整装置は、ハウジングＨの中央部で上下方向に延在される軸芯部にウォームギア状に形成された回動体Ｄを水平回動可能に有してなると共に、この回動体Ｄの軸芯部に螺装されて回動体Ｄの回動時に昇降する螺条ロッドＲを有してなる。
【０００８】
そして、この螺条ロッドＲの上端に上方柱体Ｐ２の下端部となるエレクションピースＥ２に上記と同じ連結具Ｃの利用などで分離可能に連結される上方ブラケットＢ２を有してなるとしている。
【０００９】
ちなみに、図示しないが、回動体Ｄは、ハウジングＨの外部からの適宜の駆動手段、たとえば、ウォームによる回動操作で回動するように設定されている。
【００１０】
それゆえ、この建入れ調整装置にあっては、回動体Ｄが水平回動されることで螺条ロッドＲの、すなわち、上方ブラケットＢ２の昇降が可能になり、したがって、下方柱体Ｐ１に連続される上方柱体Ｐ２の下方柱体Ｐ１に対する昇降が可能になる。
【００１１】
そして、この建入れ調整装置を下方柱体Ｐ１と上方柱体Ｐ２の連続部分の、たとえば、水平四方向に配設すると共に、選択された建入れ調整装置において下方柱体Ｐ１に対する上方柱体Ｐ２の昇降を実行することで、上方柱体Ｐ２を垂直状態に調整することが可能になる。
【００１２】
【発明が解決しようとする課題】
しかしながら、この従来提案とされる建入れ調整装置にあっては、螺条ロッドＲにおけるネジピッチおよびネジ径が単一とされているから、その設定如何によっては、極めて使い勝手が悪くなると指摘される危惧がある。
【００１３】
すなわち、この建入れ調整装置が利用される実情を考慮すると、螺条ロッドＲのネジピッチを小さくし、加えてネジ径を大きくするように設定すれば、螺条ロッドＲに上方柱体Ｐ２からの大きい荷重が作用している場合にも、回動体Ｄの回動操作を楽にしながら螺条ロッドＲの上昇を、すなわち、上方柱体Ｐ２の上昇を可能にし得る。
【００１４】
しかしながら、ネジピッチが小さいがゆえに、螺条ロッドＲに大きい荷重が作用していない場合に、すなわち、いわゆるストローク調整をする場合に素早く螺条ロッドＲの上昇させることが困難になる。
【００１５】
一方、螺条ロッドＲの昇降速度を速くするには、少なくとも、ネジピッチを大きく設定すれば良いが、この場合には、螺条ロッドＲに大きい荷重が作用することになったときに、回動体Ｄを楽に回動操作し得なくなる。
【００１６】
ちなみに、ネジピッチを大きく設定するときに、加えてネジ径を小さくするように設定すれば、理論的には一層の高速化が望めることになるが、その際には、回動体Ｄに対する操作力を一層大きくする必要を生じる。
【００１７】
それゆえ、上記の建入れ調整装置にあっては、螺条ロッドＲに作用する荷重の大きさと螺条ロッドＲの昇降速度、すなわち、回動体に対する操作力との兼ね合いから、言わば妥協点となるネジピッチおよびネジ径を選択せざるを得ないことになる。
【００１８】
その結果、結局は、回動体に対する操作力をいたずらに大きく設定できないから、螺条ロッドＲにおけるネジピッチを小さくする傾向に、すなわち、螺条ロッドＲの昇降速度が遅くなる傾向に設定されることになり、いわゆるストローク調整をする場合に素早く螺条ロッドＲの上昇させることが困難になり、使い勝手が悪くなると指摘されることになる。
【００１９】
この発明は、上記した事情を鑑みて創案されたものであって、その目的とするところは、鉄骨製の柱体の建入れ作業を迅速に実現し得るようにして、建築工事における工期の短縮化に寄与し、その汎用性の向上を期待するのに最適となる建入れ調整装置を提供することである。
【００２０】
【課題を解決するための手段】
上記した目的を達成するために、この発明による建入れ調整装置の構成を、下方柱体の上端部とこの下方柱体に連続される上方柱体の下端部とに連繋されて上方柱体における垂直度の調整を可能にする建入れ調整装置であって、下端に下方柱体の上端部に分離可能に連結される下方ブラケットを有するハウジングと、このハウジングの平面視の中央において上下方向に延在される軸芯線を中心にする軸芯部に配在されて外部からの回動操作で水平回動可能とされる回動軸と、この回動軸の上端側の外周に形成の上端側螺条部に昇降可能に螺装されながら上方柱体の下端部に分離可能に連結される上方ブラケットと、この上方ブラケットに上端が係止されると共に下端が回動軸における上記の上端側螺条部の下方に係止されて上方ブラケットを上昇方向に附勢する附勢バネと、上記のハウジングに水平回動可能に保持されると共に内周螺条部が上記の回動軸の下端側の外周に形成の下端側螺条部に噛合する回動体とを有してなり、上記の下端側螺条部におけるネジピッチおよびネジ径が上記の上端側螺条部におけるネジピッチおよびネジ径よりも大きく設定されてなるとする。
【００２１】
それゆえ、上方ブラケットに上方柱体からの荷重が作用しているときには、附勢バネが圧縮されて上方柱体からの荷重が回動軸に作用することになり、このときに、上端側螺条部のネジピッチおよびネジ径が下端側螺条部のネジピッチおよびネジ径よりも小さく設定されているから、回動体の回動時に、上方ブラケットと上端側螺条部との間における回動抵抗よりも下端側螺条部と回動体との間における回動抵抗の方が大きくなり、したがって、回動軸は、回動体と共に回動し、その結果、回動軸の回動で上方ブラケット自体の上昇が可能になる。
【００２２】
それに対して、上方ブラケットに上方柱体からの荷重が作用していないときには、附勢バネが上方ブラケットを持ち上げるように作用し、したがって、上方ブラケットと上端側螺条部とが一体化されたと同様の状態になり、このときに、上方ブラケットの回動が阻止されているから、上方ブラケットと上端側螺条部との間における回動が阻止される傾向になる。
【００２３】
そして、このときに、下端側螺条部と回動体との間における回動抵抗は言わば零に近づく程に小さくなっており、したがって、回動軸は、回動体の回動でこの回動体の内周側で昇降可能になり、その結果、回動軸自体の上昇が、すなわち、上方ブラケットの上昇が可能になる。
【００２４】
そしてまた、このときに、下端側螺条部のネジピッチが上端側螺条部のネジピッチよりも大きく設定されているから、回動軸の回動による上方ブラケットの上昇速度よりも、回動体の回動による回動軸の上昇速度、すなわち、上方ブラケットの上昇速度の方を一層速くすることが可能になる。
【００２５】
さらに、下端側螺条部におけるネジ径がネジピッチに相応するように大きく設定されるから、その分回動体の径がより大きく設定されて、小さい操作力でも回動体を回動し得ることになり、操作性を向上させることになる。
【００２６】
ちなみに、上記した構成において、より具体的には、回動体は、下端に下方ブラケットを有するハウジングの中央部で上下方向に延在される軸芯部に水平回動可能に保持された筒状体と、この筒状体の外周に一体的に介装されてハウジングの外部からの適宜の駆動手段、たとえば、ウォームによる駆動で水平回動するギア体とからなり、筒状体の内周に上記の内周螺条部が形成されてなるとするのが好ましい。
【００２７】
そして、この場合には、回動軸の回動を保障するのはもちろんであるが、回動体の組立性を向上させると共に、筒状体やギア体に摩耗やその他の変形などが招来された場合の交換を可能にすることになる。
【００２８】
なお、回動体を回動するための適宜の駆動手段、たとえば、ウォームは、手動操作によるとするか、あるいは、モータなどの駆動源を利用するとするかなど任意に構成されて良い。
【００２９】
【発明の実施の形態】
以下に、図示した実施の形態に基づいて、この発明を説明するが、この発明の実施の形態による建入れ調整装置にあっても、図１に示すように、前記した従来例としての図２に示す建入れ調整装置と同様に、下方柱体Ｐ１の上端部とこの下方柱体Ｐ１に連続される上方柱体Ｐ２の下端部とに連繋されて上方柱体Ｐ２における垂直度の調整を可能にするように設定されている。
【００３０】
そして、この建入れ調整装置にあっても、下方柱体Ｐ１の上端部と上方柱体Ｐ２の下端部にそれぞれ溶接などで一体に連設されている一枚の板状体からなるエレクションピースＥ１，Ｅ２を利用することでその下方柱体Ｐ１および上方柱体Ｐ２への連繋を実現するとしている。
【００３１】
また、この建入れ調整装置は、いわゆる本体部を構成するハウジングＨの下端に下方柱体Ｐ１の上端部となる下方のエレクションピースＥ１に連結ピンなどの適宜の連結具Ｃの利用などで分離可能に連結される下方ブラケットＢ１を有してなる。
【００３２】
ちなみに、図示する実施の形態では、各エレクションピースＥ１，Ｅ２がそれぞれ一枚の板状体からなるとしているから、下方ブラケットＢ１および後述する上方ブラケットＢ２は、詳しくは図示しないが、この板状体を挟み込むようになるいわゆる二股構造に形成されてなるとしている。
【００３３】
なお、下方ブラケットＢ１および上方ブラケットＢ２は、上記した連繋が実現される限りには、各エレクションピースＥ１，Ｅ２の態様が変更されることでそれぞれが相応する態様に変更されるなど、任意に設定されて良いのはもちろんである。
【００３４】
一方、ハウジングＨにおいて、その平面視で中央となる部位において上下方向に延在される軸芯線を中心にするこのハウジングＨの軸芯部には、外部からの回動操作で水平回動しながら昇降する回動軸１が配在されている。
【００３５】
この回動軸１は、上端側の外周に形成された上端側螺条部１ａを有しており、この上端側螺条部１ａには上方柱体Ｐ２の下端部たる上方のエレクションピースＥ２に分離可能に連結される上方ブラケットＢ２を昇降可能に螺装してなるとしている。
【００３６】
そして、この上方ブラケットＢ２は、下端が回動軸１における上端側螺条部１ａの下方となる部位に形成のフランジ部１ｂに係止される附勢バネ１ｃの上端が係止されることで上昇方向に附勢されてなるとしている。
【００３７】
なお、上方ブラケットＢ２は、上記した下方ブラケットＢ１の場合と同様に、適宜の連結具Ｃの利用などで上方のエレクションピースＥ２に分離可能に連結される。
【００３８】
それゆえ、この上方ブラケットＢ２にあっては、上方のエレクションピースＥ２に連結されていないなどの状態にあって上方柱体Ｐ２からの荷重が作用していない場合には、附勢バネ１ｃの附勢力で上昇傾向に、すなわち、上端側螺条部１ａにいわゆる抜け方向に圧接されて一体化された状態におかれることになる。
【００３９】
その結果、この状態のときに、上方ブラケットＢ２の回動が阻止される限りには、上端側螺条部１ａの、すなわち、回動軸１の回動によって上方ブラケットＢ２が昇降自在になる、すなわち、上方ブラケットＢ２自体の上昇が実現されることになる。
【００４０】
また、この上方ブラケットＢ２にあっては、上方のエレクションピースＥ２に連結されていて上方柱体Ｐ２からの荷重が作用している場合には、附勢バネ１ｃが圧縮されることで上端側螺条部１ａにいわゆる押し込み方向に圧接されて一体化された状態におかれることになり、上方柱体Ｐ２からの荷重を回動軸１に作用させることになる。
【００４１】
一方、上記の回動軸１は、下端側の外周に上記の上端側螺条部１ａのネジピッチおよびネジ径よりもそのネジピッチおよびネジ径が大きくなる下端側螺条部１ｄを有してなるとしており、この下端側螺条部１ｄが外部からの回動操作で水平回動する回動体Ｄに噛合してなるとしている。
【００４２】
それゆえ、この回動軸１にあっては、これに上方柱体Ｐ２からの荷重が上方ブラケットＢ２を介して作用している場合には、回動体Ｄの回動時に、ネジピッチが大きい下端側螺条部１ｄよりもネジピッチが小さい上端側螺条部１ａにおける回動が優先的に許容されることになる。
【００４３】
それに対して、この回動軸１に上方柱体Ｐ２からの荷重が作用していない場合には、附勢バネ１ｃの附勢力で上方ブラケットＢ２に対する回動が阻止されている上端側螺条部１ａにおける回動抵抗よりも下端側螺条部１ｄにおける回動抵抗の方が小さくなり、したがって、回動体Ｄの回動時には、回動軸１が回動されずして昇降可能とされることになる。
【００４４】
その結果、この回動軸１にあっては、これが回動することで上方ブラケットＢ２を上昇させる速度よりも、これが回動せずして上昇することで上方ブラケットＢ２を上昇させる速度の方が高速傾向になる。
【００４５】
ところで、回動体Ｄは、前記した従来例においての回動体Ｄ（図２参照）と同様に、ウォームギア状に形成されてなるとするが、図示する実施の形態では、ハウジングＨの中央部で上下方向に延在される軸芯部に水平回動可能に保持された筒状体２と、この筒状体２の外周に一体的に介装されたギア体３とからなるとしている。
【００４６】
そして、筒状体２は、ハウジングＨの外部からの適宜の駆動手段、すなわち、図示する実施の形態では、後述するウォームＷによる駆動で水平回動するように設定されており、その内周に上記の下端側螺条部１ｄを噛合させる内周螺条部２ａが形成されてなるとしている。
【００４７】
ちなみに、この回動体Ｄにおいて、筒状体２とギア体３は、同期して回動するようにキー部材４の介在下に連結されている。
【００４８】
それゆえ、この回動体Ｄにあっては、回動軸１の回動を実現し得るのはもちろんのことだが、回動体Ｄの組立性を向上させると共に、筒状体２やギア体３に摩耗やその他の変形などが招来された場合の交換を可能にすることになる。
【００４９】
つぎに、回動体Ｄを回動するための適宜の駆動手段は、図示する実施の形態では、ウォームＷからなるとしており、しかも、このウォームＷは、外周の歯部５ａが前記したギア体３における歯部３ａに噛合するウォーム体５と、このウォーム体５の軸芯部に一体的に挿通された駆動軸６とからなるとしている。
【００５０】
そして、ウォーム体５と駆動軸６は、同期して回動するようにキー部材７の介在下に連結されている。
【００５１】
また、駆動軸６は、図示しないが、その両端部がウォーム体５およびこのウォームＷを収装するケーシング８の外側面から適宜の長さに突出するとしており、駆動軸６を強制的に回動し得る駆動ハンドルが連結されてなるとしている。
【００５２】
それゆえ、このウォームＷにあっては、手動操作によるとするか、あるいは、モータなどの駆動源を利用するとするかなど任意に設定でき、しかも、その設定如何で駆動軸６の態様を変更したり、ウォーム体５が摩耗などしたときの交換を可能にし得ることになる。
【００５３】
以上のように形成されたこの実施の形態による建入れ調整装置は、下方ブラケットＢ１を介して下方柱体Ｐ１の上端部と上方ブラケットＢ２を介して上方柱体Ｐ２の下端部とに連繋されて利用状態におかれる。
【００５４】
このときに、下方ブラケットＢ１は、下方柱体Ｐ１に連設の下方のエレクションピースＥ１に連結具Ｃの利用で連結されているが、上方ブラケットＢ２がいわゆるストローク不足で上方柱体Ｐ２に連設の上方のエレクションピースＥ２に連結され得ない状態にある場合には、ウォームＷの駆動で回動体Ｄを回動する。
【００５５】
このとき、上方ブラケットＢ２は、回動軸１との間に配在の附勢バネ１ｃによって回動軸１の上端側螺条部１ａにいわゆる抜け方向に圧接された状態におかれて、上端側螺条部１ａに対する回動が阻止された状態におかれている。
【００５６】
それに対して、回動軸１は、下端側螺条部１ｄの回動体Ｄに対する回動抵抗が言わば零に近づく程に小さい状態におかれていて、回動体Ｄの回動を許容する、すなわち、この回動体Ｄの内周側での昇降が許容される状態におかれている。
【００５７】
その結果、回動体Ｄの回動時には、回動軸１自体が上昇されて、上端側螺条部１ａに螺装されている上方ブラケットＢ２の上昇が可能とされることになる。
【００５８】
そして、上方ブラケットＢ２が連結具Ｃの利用で上方のエレクションピースＥ２に連結された後であって、しかも、上方柱体Ｐ２を下方柱体Ｐ１に対して上昇させることが必要になる場合には、さらにウォームＷの駆動で回動体Ｄを回動する。
【００５９】
このときには、上方柱体Ｐ２からの荷重が上方ブラケットＢ２を介して回動軸１に作用し、上方ブラケットＢ２が上端側螺条部１ａにいわゆる押し込み方向に圧接され、また、下端側螺条部１ｄが回動体Ｄに同じく押し込み方向に圧接される状態になる。
【００６０】
したがって、回動体Ｄの回動時には、ネジピッチが小さく設定されている上端側螺条部１ａの方がネジピッチが大きく設定されている下端側螺条部１ｄよりも対向部材に対して回動され易くなり、すなわち、上端側螺条部１ａが上方ブラケットＢ２に対して回動され易くなる。
【００６１】
その結果、回動体Ｄの回動時には、回動軸１が回動体Ｄに同期して回動し、上端側螺条部１ａに螺装されている上方ブラケットＢ２が上端側螺条部１ａの回動で上昇可能になる。
【００６２】
そして、下端側螺条部１ｄのネジピッチが上端側螺条部１ａのネジピッチよりも大きく設定されていることで、回動軸１の回動による上方ブラケットＢ２の上昇速度よりも、回動体Ｄの回動による回動軸１の上昇速度、すなわち、上方ブラケットＢ２の上昇速度の方を一層速くすることが可能になる。
【００６３】
さらに、下端側螺条部１ｄにおけるネジ径がネジピッチに相応するように大きく設定されていることで、その分回動体Ｄの径をより大きく設定し得ることになり、小さい操作力でも回動体１を楽に回動し得ることになり、操作性が向上されることになる。
【００６４】
上記の建入れ調整装置を利用した上方柱体Ｐ２に対する上昇調整、すなわち、上方柱体Ｐ２の建て入り直しは、多くの場合に、下方柱体Ｐ１と上方柱体Ｐ２の連続部分の、たとえば、水平四方向に配設された建入れ調整装置の中から選択された建入れ調整装置において実行される。
【００６５】
そして、この建入れ調整装置の操作は、これが手動で実行されるとする場合には、電源がない場合にもその利用が可能になり、また、これがモータなどの適宜の駆動源の利用で実行されるとする場合には、いわゆる遠隔操作が可能になり、高所作業の機会を大幅に減少させることになる。
【００６６】
また、この建入れ調整装置にあっては、建入れ直しが終了したときに、その作動を停止したままの状態に維持すれば、上方柱体Ｐ２における建入れ直しをした状態のままで、その後のボルト締めやリベット打ちなどによる梁材や斜材の連結を可能にして、所望の固定状態を具現化できることになる。
【００６７】
前記したところは、この発明を建築物の構築の際の建入れ直しと称される作業に利用する建入れ装置として説明したが、その構成の要旨とするところを勘案すると、たとえば、ジャッキなどに具現化されるとしても良いこともちろんで、その場合の作用効果も異なるものでないことはもちろんである。
【００６８】
【発明の効果】
以上のように、この発明にあっては、回動軸の上端側螺条部におけるネジピッチおよびネジ径がこの回動軸の下端側螺条部におけるネジピッチおよびネジ径より小さくなるように設定されてなるとするから、上方ブラケットを介して上方柱体からの荷重が回動軸に作用している場合には、回動体による回動軸の回動操作時に、ネジピッチが小さい上端側螺条部の上方ブラケットに対する回動の方が優先されることになり、この上端側螺条部の回動で上方ブラケットの上昇が可能とされることになる。
【００６９】
そして、この発明にあっては、上端側螺条部に螺装される上方ブラケットと上端側螺条部を有する回動軸との間に上方ブラケットを上端側螺条部から抜き出す方向に附勢する附勢バネが配在されてなるとするから、上方ブラケットに上方柱体からの荷重が作用していない場合には、上方ブラケットが上端側螺条部に圧接されて両者の間における回動が阻止される傾向になるのに対して、回動体と下端側螺条部との間における回動抵抗が小さいままに維持されることになる。
【００７０】
その結果、この状態下に回動体が回動操作される場合には、下端側螺条部の外周での回動体の回動が許容される、すなわち、回動体の内周側での回動軸の上昇が可能とされることになり、その結果、この上端側螺条部の回動で上方ブラケットの上昇が可能とされることになる。
【００７１】
そして、上方ブラケットの上昇速度を比較すると、下端側螺条部のネジピッチが上端側螺条部のネジピッチよりも大きくなるように設定されているから、回動体に同期する回動軸の回動によって上昇する上方ブラケットの上昇速度よりも、回動体の内周側での回動軸の上昇によって上昇する上方ブラケットの上昇速度の方が速くなる。
【００７２】
その結果、上方柱体の建入れ直しをする際には、上方ブラケットが連結されている上方柱体をゆっくりと上昇し得ることになり、単にいわゆるストローク調整をするのみの際には、上方ブラケットを速く上昇し得ることになる。
【００７３】
そして、この発明にあっては、建入れ調整装置が上方柱体と下方柱体との連結部分に配在されるから、上方柱体の上端部と施工階の床面との間に斜めにワイヤロープなどが展張される従来の方策に比較して、建入れ調整装置が他の作業の支障になったり、いわゆるダメ工事を招来させたりしないことになる。
【００７４】
また、この発明にあっては、回動体が本体たるハウジングの中央部で上下方向に延在される軸芯部に水平回動可能に保持された筒状体と、この筒状体の外周に一体的に介装されてハウジングの外部からの適宜の駆動手段、たとえば、ウォームによる駆動で水平回動するギア体とからなるとする場合には、回動軸の回動を保障するのはもちろんであるが、筒状体やギア体に摩耗やその他の変形などが招来された場合の交換を可能にすることになる。
【００７５】
そして、この発明にあっては、回動体を回動するための適宜の駆動手段、たとえば、ウォームが手動操作によるとする場合には、電源などの準備がない場所での利用を可能にし、また、モータなどの駆動源を利用するとする場合には、遠隔操作を可能にして高所作業に伴うことがある危険をあらかじめ排除できることになる。
【００７６】
その結果、この発明によれば、鉄骨製の柱体の建入れ作業を迅速に実現し得るようにして、建築工事における工期の短縮化に寄与し、その汎用性の向上を期待するのに最適となる。
【図面の簡単な説明】
【図１】この発明の一実施の形態による建入れ調整装置を上方柱体と下方柱体との連結部分に連繋した状態で示す縦断面図である。
【図２】従来例としての建入れ調整装置を図１と同様に示す図である。
【符号の説明】
１  回動軸
１ａ  上端側螺条部
１ｂ  フランジ部
１ｃ  附勢バネ
１ｄ  下端側螺条部
２  回動体を構成する筒状体
２ａ  内周螺条部
３  回動体を構成するギア体
３ａ，５ａ  歯部
４，７  キー部材
５  ウォームを構成するウォーム体
６  ウォームを構成する駆動軸
Ｂ１  下方ブラケット
Ｂ２  上方ブラケット
Ｃ  連結具
Ｄ  回動体
Ｅ１，Ｅ２  エレクションピース
Ｈ  ハウジング
Ｐ１  下方柱体
Ｐ２  上方柱体
Ｗ  駆動機構としてのウォーム
【図１】
0003695731.tif 000002
【図２】
0003695731.tif 000003